(57)【特許請求の範囲】
【請求項１】
容器口部の外周面にねじ山を有する容器本体と、該ねじ山に係合する係合部を内周面に有するキャップとを備えた容器であって、
前記ねじ山が、多条のねじ山からなり、それらねじ山が周方向の異なる所定位置から周方向に延びるように、かつ、隣り合う一方のねじ山の始端部と他方のねじ山の終端部とが上下方向で重複するように備えられ、前記係合部が上下一対の係合爪の複数組からなり、前記各ねじ山は、該係合爪が上下方向で当接して該係合爪を回転方向に案内する始端部と、該始端部の終端から延出され、該始端部で案内された係合爪を下方に案内するべく終端側ほど下方に位置する傾斜案内部と、該傾斜案内部で案内された係合爪が係合して移動不能に固定される終端部とを備え、前記始端部と終端部とが、略同一長さを有し、かつ、終端側ほど下方に位置する傾斜部に構成され、該両傾斜部の水平方向に対する角度が、同一であり、該角度が、１０度以下、好ましくは５度以下に設定され、前記傾斜案内部の角度は、前記始端部の角度より大きく、前記上下一対の係合爪の回転方向の長さが、前記傾斜部の周方向の長さよりも短く、かつ、該上下一対の係合爪が前記傾斜部の角度と略同一角度を有する横長状に構成され、前記キャップを前記容器本体に対して一回転よりも小さい角度で回転させることにより、前記一対の係合爪のうちの上側の係合爪の上面が周方向で隣り合う一方のねじ山の始端部の下面に係合し、かつ、前記下側の係合爪の上面が該他方のねじ山の終端部の下面に係合することにより、該キャップが該容器口部に固定されることを特徴とする容器。
【請求項２】
前記多条のねじ山が３条以上のねじ山からなり、前記キャップを開栓するための回転角度が２４０度以下になるように各ねじ山の傾斜案内部の傾斜角度を設定していることを特徴とする請求項１に記載の容器。
【発明の詳細な説明】
【技術分野】
【０００１】
本発明は、容器口部の外周面にねじ山を有する容器本体と、該ねじ山に係合する係合部を内周面に有するキャップとを備えた容器に関する。
【背景技術】
【０００２】
従来から、容器側及びキャップ側の両方に一条のねじ山を少なくとも一周するように備えている容器が知られている。この容器は、キャップを少なくとも一回転させなければ開放状態又は閉塞状態にすることができず、キャップの開閉操作に時間を要するものである。
そこで、容器に対してキャップを一回転よりも小さい回転角度で回転させることにより開放状態又は閉塞状態にすることができる複数条のねじ山を備えた容器が提案されている。
この容器は、終端側ほど下方に位置する傾斜状の複数条のねじ山を容器口部に備え、キャップ側には、容器本体のねじ山間に入り込んでキャップを回転案内するための複数条の傾斜状のねじ山を備え、さらに容器本体側のねじ山の終端部にキャップ側のねじ山に垂直方向から係合する半球状の突起を備えており、容器にキャップを被せて回転させることにより、突起がキャップ側のねじ山を圧接することでキャップを容器口部に緊着することができるようにしている（例えば、特許文献１参照）。
【０００３】
また、別の容器として、例えば容器口部の外周面に、容器本体の軸線に対して所定の傾斜角を有する平行四辺形でなる複数のガイド凸部を所定間隔を置いて形成し、蓋体の内周面に前記ガイド凸部の傾斜角よりも僅かに大きな傾斜角を有し、かつ、該周方向で隣り合うガイド凸部間に食い込むように入り込んで蓋体を固定するための平行四辺形でなる複数の突部を形成している。従って、蓋体を回転させることによって、突部をガイド凸部間に圧入させることで、容器口部に蓋体を固定することができるようになっている（例えば特許文献２参照）。
【先行技術文献】
【特許文献】
【０００４】
【特許文献１】特開平１１−２９２１１１号公報（図１参照）
【特許文献２】特開２００８−１６４０５７号公報（図１〜図４参照）
【発明の概要】
【発明が解決しようとする課題】
【０００５】
上記特許文献１では、半球状の突起がキャップ側のねじ山を圧接して容器口部にキャップを固定する構成であるため、半球状の突起とねじ山との当接面積が非常に小さい。このため、キャップが不測に少し回転しただけで容器口部との固定が直ちに解除されることがあった。
【０００６】
また、上記特許文献２においても、容器口部に形成したガイド凸部の上端角部にのみ蓋体の突部が食い込む構成であるため、その食い込み範囲が小さく、前記と同様に、キャップが不測に少し回転しただけで容器口部との固定が直ちに解除されることがあり、改善の余地があった。
【０００７】
本発明が前述の状況に鑑み、解決しようとするところは、一回転よりも小さな回転角度でキャップを開閉操作することができながらも、閉塞後は容易に固定解除されることがない容器を提供することを課題とする。
【課題を解決するための手段】
【０００８】
本発明の容器は、前述の課題解決のために、容器口部の外周面にねじ山を有する容器本体と、該ねじ山に係合する係合部を内周面に有するキャップとを備えた容器であって、前記ねじ山が、多条のねじ山からなり、それらねじ山が周方向の異なる所定位置から周方向に延びるように、かつ、隣り合う一方のねじ山の始端部と他方のねじ山の終端部とが上下方向で重複するように備えられ、前記係合部が上下一対の係合爪の複数組からなり、前記各ねじ山は、該係合爪が上下方向で当接して該係合爪を回転方向に案内する始端部と、該始端部の終端から延出され、該始端部で案内された係合爪を下方に案内するべく終端側ほど下方に位置する傾斜案内部と、該傾斜案内部で案内された係合爪が係合して移動不能に固定される終端部とを備え、前記始端部と終端部とが、略同一長さを有し、かつ、終端側ほど下方に位置する傾斜部に構成され、該両傾斜部の水平方向に対する角度が、同一であり、該角度が、１０度以下、好ましくは５度以下に設定され、前記傾斜案内部の角度は、前記始端部の角度より大きく、前記上下一対の係合爪の回転方向の長さが、前記傾斜部の周方向の長さよりも短く、かつ、該上下一対の係合爪が前記傾斜部の角度と略同一角度を有する横長状に構成され、前記キャップを前記容器本体に対して一回転よりも小さい角度で回転させることにより、前記一対の係合爪のうちの上側の係合爪の上面が周方向で隣り合う一方のねじ山の始端部の下面に係合し、かつ、前記下側の係合爪の上面が該他方のねじ山の終端部の下面に係合することにより、該キャップが該容器口部に固定されることを特徴としている。
【０００９】
上記構成によれば、容器口部の外周面に備えるねじ山が、多条のねじ山から構成されていることから、容器口部にキャップを被せて一回転よりも小さい角度で回転させるだけでキャップを容器口部に固定することができる。しかも、容器口部にキャップを被せて回転させることにより、上下一対の係合爪のうちの下側の係合爪が始端部に案内されることで、キャップを回転方向にスムーズに回転させることができる。また、係合爪が始端部から傾斜案内部に移動すると、傾斜案内面に沿って係合部が急激に下方に移動し、傾斜案内部から終端部に移動して係合爪が終端部に係合し、キャップが容器口部に固定される。このとき、下側の係合部が隣り合う他方のねじ山の終端部に係合するだけでなく、上側の係合部が隣り合う一方のねじ山の始端部に広い範囲に渡って係合することで、キャップが容器口部に強固に固定される。尚、多条のねじ山とは、３条以上のねじ山である。
【００１１】
また、本発明の容器は、前記多条のねじ山が３条以上のねじ山からなり、前記キャップを開栓するための回転角度が２４０度以下になるように各ねじ山の傾斜案内部の傾斜角度を設定してもよい。
【発明の効果】
【００１３】
容器口部の外周面に備えるねじ山を、多条のねじ山から構成することによって、一回転よりも小さな回転角度でキャップを開閉操作することができながらも、キャップの閉塞時には、キャップを容器口部に被せて回転させることによって、下側の係合部が隣り合う他方のねじ山の終端部に係合するだけでなく、上側の係合部が隣り合う一方のねじ山の始端部に係合することで、キャップが容器口部に強固に固定することができ、その結果、閉塞後は容易に固定解除されることがない容器を提供することができる。
【図面の簡単な説明】
【００１４】
【図１】（ａ）は容器口部にキャップを装着する直前の状態を示すキャップのみ断面にした容器の上部を示す正面図、（ｂ）は容器口部にキャップを装着した状態の容器の上部を示す縦断正面図である。
【図２】（ａ）は容器本体の平面図、（ｂ）は（ａ）の容器本体をＸ１方向から見た図、（ｃ）は容器本体をＸ２方向から見た図、（ｄ）は（ａ）の容器本体をＸ３方向から見た図、（ｅ）は（ａ）の容器本体をＸ４方向から見た図である。
【図３】（ａ）〜（ｃ）は容器口部を展開した図にキャップを閉塞状態から６０度開放状態へ回転させたときのキャップ側の係合部が移動していく過程を示す説明図である。
【図４】（ａ）〜（ｃ）は容器口部を展開した図にキャップを１２０度開栓した状態から２４０度開放状態へ回転させたときのキャップ側の係合部が移動していく過程を示す説明図である。
【図５】タンパーエビデンスバンドを備えたキャップが装着された容器口部の縦断面図である。
【発明を実施するための形態】
【００１５】
図１（ａ），（ｂ）に、本発明の容器１の上部を示している。この容器１は、円筒状の容器口部５Ａの外周面に３条のねじ山２，３，４を有する合成樹脂製の容器本体５と、容器本体５のねじ山２，３，４に係合する係合部６，７，８（図１では２組の係合部６，８のみ図示している）を有する合成樹脂製のキャップ９とを備えている。尚、図１（ａ）では、キャップ９が容器本体５に装着される直前の状態を示し、キャップ９を縦断面図にしている。また、図１（ｂ）では、キャップ９が容器本体５に装着された状態の縦断正面図を示している。
【００１６】
キャップ９は、平面視が円形の天板部１０と、この天板部１０の外周縁から下方に垂下したスカート部１１とを備え、スカート部１１の内面の周方向３箇所に、係合部６，７，８を備え、これら係合部６，７，８は、横長状の上下一対の係合爪を一組として合計３組の係合爪６Ａ，６Ｂ、７Ａ，７Ｂ、８Ａ，８Ｂ（図３（ａ）〜（ｃ）参照）から構成されている。
【００１７】
天板部１０の内面（下面）には、容器口部５Ａにキャップ９を螺着したときに容器口部５Ａの内周面５ａに当接する環状の突片からなる中足１０Ａと、容器口部５Ａの外周面５ｂに当接する環状の突片からなる外足１０Ｂとを備えている。
ここでは、中足１０Ａと外足１０Ｂとを天板部１０に一体的に備えさせた１ピースタイプのキャップ９を示しているが、例えば中足１０Ａと外足１０Ｂとを備えた中栓と、天板部１０とスカート部１１とを備えたキャップ本体部の２つの部材からなる２ピースタイプのキャップであってもよい。尚、中栓は、外足１０Ｂを省略して中足１０Ａのみで構成してもよい。
【００１８】
３条のねじ山２，３，４は、周方向で三等分した異なる所定位置から周方向に延びるように、かつ、隣り合う一方のねじ山の始端部２Ａ，３Ａ，４Ａと他方のねじ山の終端部３Ｃ，４Ｃ，２Ｃとが上下方向で重複するように備えられている。
【００１９】
ねじ山２，３，４は、係合部６，７，８と上下方向で当接して係合部６，７，８を回転方向に案内する略水平な始端部２Ａ，３Ａ，４Ａと、始端部２Ａ，３Ａ，４Ａの終端から延出され、始端部２Ａ，３Ａ，４Ａで案内された係合部６，７，８を下方に案内するべく終端側ほど下方に位置する傾斜案内部２Ｂ，３Ｂ，４Ｂと、傾斜案内部２Ｂ，３Ｂ，４Ｂで案内された係合部６，７，８が係合して移動不能に固定される略水平な終端部２Ｃ，３Ｃ，４Ｃと、終端部２Ｃ，３Ｃ，４Ｃに移動不能に固定された係合部６，７，８が不測に終端側へ更に移動することを阻止するためのストッパー部２Ｄ，３Ｄ，４Ｄとを備えている。
【００２０】
また、始端部２Ａ，３Ａ，４Ａと終端部２Ｃ，３Ｃ，４Ｃは、略同一長さを有し、かつ、終端側ほど下方に位置する傾斜部に構成され、両傾斜部の水平方向に対する角度が、同一であり、その角度が、約２度に設定されている。また、前記上下一対の係合爪６Ａ，６Ｂ、７Ａ，７Ｂ、８Ａ，８Ｂの回転方向の長さが、前記傾斜部２Ａ，３Ａ，４Ａ、２Ｃ，３Ｃ，４Ｃの周方向の長さよりも短く、かつ、該上下一対の係合爪６Ａ，６Ｂ、７Ａ，７Ｂ、８Ａ，８Ｂが傾斜部２Ａ，３Ａ，４Ａ、２Ｃ，３Ｃ，４Ｃの角度と略同一角度を有する横長状に構成されている。
【００２１】
従って、キャップ９を容器本体５に対して一回転よりも小さい角度で回転させることにより、前記一対の係合爪６Ａ，６Ｂ、７Ａ，７Ｂ、８Ａ，８Ｂのうちの上側の係合爪６Ａ，７Ａ，８Ａが周方向で隣り合う一方のねじ山２，３，４の始端部２Ａ，３Ａ，４Ａに広い範囲に渡って係合し、かつ、前記下側の係合爪６Ｂ，７Ｂ，８Ｂが該他方のねじ山３，４，２の終端部３Ｃ，４Ｃ，２Ｃに広い範囲に渡って係合することにより、キャップ９が容器口部５Ａに強固に固定されるように構成されている。
【００２２】
次に、キャップ９が閉栓された状態から開栓されるまでの３組の係合爪６Ａ，６Ｂ、７Ａ，７Ｂ、８Ａ，８Ｂの動きを図３（ａ）〜（ｃ）及び図４（ａ）〜（ｃ）に基づいて説明する。
図３（ａ）には、３組の係合爪６Ａ，６Ｂ、７Ａ，７Ｂ、８Ａ，８Ｂのうちの上側の係合爪６Ａ，７Ａ，８Ａの上面が、始端部２Ａ，３Ａ，４Ａの下面に当接し、かつ、下側の係合爪６Ｂ，７Ｂ，８Ｂの上面が終端部３Ｃ，４Ｃ，２Ｃの下面に当接することで、キャップ９を容器口部５Ａに強固に固定されている状態を示している。
この状態からキャップ９を平面視において反時計回りに４５度開栓すると、図３（ｂ）に示すように、上側の係合爪６Ａ，７Ａ，８Ａが始端部２Ａ，３Ａ，４Ａから外れるとともに、下側の係合爪６Ｂ，７Ｂ，８Ｂが終端部３Ｃ，４Ｃ，２Ｃから外れた位置に移動する。
更に、４５度から１５度開栓して６０度開栓する際には、図３（ｃ）に示すように、上側の係合爪６Ａ，７Ａ，８Ａが傾斜案内部３Ｂ，４Ｂ，２Ｂで案内されて移動する。
また６０度から更に３０度開栓すると、図４（ａ）に示すように、上側の係合爪６Ａ，７Ａ，８Ａが始端部３Ａ，４Ａ，２Ａに案内され、下側の係合爪６Ｂ，７Ｂ，８Ｂが終端部４Ｃ，２Ｃ，３Ｃに案内される。また、更に３０度開栓して１２０度開栓すると、図４（ｂ）に示すように、上側の係合爪６Ａ，７Ａ，８Ａが始端部３Ａ，４Ａ，２Ａの長手方向略中央位置に移動し、下側の係合爪６Ｂ，７Ｂ，８Ｂが終端部４Ｃ，２Ｃ，３Ｃの長手方向略中央位置に移動する。
この状態から更に１２０度開栓して２４０度開栓すると、図４（ｃ）に示すように、上側の係合爪６Ａ，７Ａ，８Ａがねじ山２，３，４から外れ、下側の係合爪６Ｂ，７Ｂ，８Ｂが始端部３Ａ，４Ａ，２Ａに載置された開栓状態になり、この開栓状態でキャップ９を上方に持ち上げることでキャップ９を容器口部５Ａから完全に取り外すことができる。尚、キャップ９が開栓された状態から閉栓する場合には、前記とは逆の動作になる。
【００２３】
尚、本発明は、前記実施形態に限定されるものではなく、本発明の要旨を逸脱しない範囲で種々の変更が可能である。
【００２４】
例えば、キャップ９の開栓を確認することができる構成をキャップ９に付加して実施してもよい。具体的には、図５に示すように、キャップ９のスカート部１１の下端に形成される破断可能な複数個のブリッジ１３と、ブリッジ１３を介してスカート部１１に接続されたタンパーエビデンスバンド（ＴＥバンド）１４と、ＴＥバンド１４の下端から内方に折り返された抜け止め用の係止部材１５とを備え、容器口部５Ａの下部外周に突設された係止突縁（ビード）１６に下方から係止し、キャップ９を開栓方向に回転力を加えてブリッジ１３が破断されることで、キャップ９が開栓されたことを確認することができる。尚、ブリッジ１３の破断時には、係止部材１５が係止突縁（ビード）１６に係止することで、ＴＥバンド１４を抜け止め状態に保持することができる。
【００２５】
また、前記実施形態では、始端部と終端部の傾斜角度を２度に設定したが、１０度以下であれば、どのような角度に設定してもよい。尚、好ましくは５度以下の角度に設定することが望ましい。
【００２６】
また、前記実施形態では、キャップ９を開栓するための回転角度が２４０度になるように各ねじ山の傾斜案内部の傾斜角度を設定したが、２４０度以下であれば何度に設定してもよい。
【００２７】
また、前記実施形態では、３条のねじ山６，７，８を備えたものを示したが、４条以上のねじ山を備えたものであってもよい。また、３条のねじ山に対して上下一対の係合爪の２組を設けて実施してもよいし、また、４条のねじ山を備えている場合には、係合爪を２組又は４組設けて実施してもよい。
【００２８】
また、前記実施形態では、ストッパー部２Ｄ，３Ｄ，４Ｄを設けたが、省略してもよい。尚、省略する場合には、終端部２Ｃ，３Ｃ，４Ｃを少し長めに構成することが好ましい。
【符号の説明】
【００２９】
１…容器、２，３，４…ねじ山、２Ａ，３Ａ，４Ａ…始端部（傾斜部）、２Ｂ，３Ｂ，４Ｂ…傾斜案内部、２Ｃ，３Ｃ，４Ｃ…終端部（傾斜部）、２Ｄ，３Ｄ，４Ｄ…ストッパー部、５…容器本体、５Ａ…容器口部、５ａ…内周面、５ｂ…外周面、６，７，８…係合部、６Ａ，６Ｂ，７Ａ，７Ｂ，８Ａ，８Ｂ…係合爪、９…キャップ、１０…天板部、１０Ａ…中足、１０Ｂ…外足、１１…スカート部、１３…ブリッジ、１４…バンド、１５…係止部材
【図１】
0005588673.tif 000002
【図２】
0005588673.tif 000003
【図３】
0005588673.tif 000004
【図４】
0005588673.tif 000005
【図５】
0005588673.tif 000006